(57)【要約】【課題】一層の利便性を有し、操作頻度の向上が図れる携帯端末装置、情報端末装置及び視聴システムを提供する。【解決手段】携帯端末装置１０には、携帯電話回路１とリモコン回路３とが一つのユニット５内に収納されている。リモコン回路３には、ユニット５の先端部に送受光部１３を有し、例えばテレビやビデオ、ラジカセ等との間で赤外線による交信が可能なようになっている。人異常判断部２７は、高齢者等が体調の異常により動けなかったり、病気等で危険な状態にあることが判断されるようになっている。【選択図】図１
2006325261.tif 000002
【特許請求の範囲】
【請求項１】
電波により相手先と交信の可能な携帯電話手段と、
人の体動及び／又は移動を検出可能な体動等検出手段と、
該体動等検出手段により体動等が所定時間検出されないことを判断する体動等判断手段と、
該体動等判断手段で体動等が所定時間検出されなかったとき又は該所定時間経過後にされた所定の案内に対し応答の無かったとき前記携帯電話手段で予め設定された連絡先に対し連絡が取られる連絡手段とを備え、
前記携帯電話手段、前記体動等検出手段、前記体動等判断手段、前記連絡手段は一つの筐体内に収納されたことを特徴とする携帯端末装置。
【請求項２】
電波により相手先と交信の可能な携帯電話手段と、
人の所在位置を検出する所在位置検出手段と、
該所在位置検出手段により検出された所在位置を所定時間毎に比較することで人の移動を演算する移動演算手段と、
該移動演算手段で人の移動が所定時間検出されなかったとき又は該所定時間経過後にされた所定の案内に対し応答の無かったとき前記携帯電話手段で予め設定された連絡先に対し連絡が取られる連絡手段とを備えたことを特徴とする携帯端末装置。
【請求項３】
電波により相手先と交信の可能な携帯電話手段と、
該携帯電話手段のキー操作が人により所定時間行なわれないことを判断するキー操作判断手段と、
該キー操作判断手段でキー操作が所定時間行なわれなかったとき又は該所定時間経過後にされた所定の案内に対し応答の無かったとき前記携帯電話手段で予め設定された連絡先に対し連絡が取られる連絡手段とを備えたことを特徴とする携帯端末装置。
【請求項４】
電波により相手先と交信の可能な携帯電話手段と、
被対象機器に対しリモコン操作可能なリモコン手段と、
該リモコン手段及び／又は前記携帯電話手段のキー操作が人により所定時間行なわれないことを判断するキー操作判断手段と、
該キー操作判断手段でキー操作が所定時間行なわれなかったとき又は該所定時間経過後にされた所定の案内に対し応答の無かったとき前記携帯電話手段で予め設定された連絡先に対し連絡が取られる連絡手段とを備えたことを特徴とする携帯端末装置。
【請求項５】
人の体動及び／又は移動を検出可能な体動等検出手段と、
該体動等検出手段により体動等が所定時間検出されないことを判断する体動等判断手段とを備え、
前記連絡手段では、該体動等判断手段で体動等が所定時間検出されなかったとき又は該所定時間経過後にされた所定の案内に対し応答の無かったとき前記携帯電話手段で予め設定された連絡先に対し連絡が取られることを特徴とする請求項４記載の携帯端末装置。
【請求項６】
光を受光する受光手段と、
該受光手段で受光された光を電気信号に変換する信号変換手段と、
該信号変換手段で変換された電気信号の大きさの変動を算出する変動算出手段と、
該変動算出手段で算出された変動を所定値と比較する比較手段と、
該比較手段で比較の結果、前記変動が所定値未満と判断され続ける状態が所定時間続いたとき人の異常を推定する人異常推定手段とを備えたことを特徴とする携帯端末装置。
【請求項７】
前記受光手段には、被対象機器を制御するため該被対象機器に対し送受光する送受光素子が用いられることを特徴とする請求項６記載の携帯端末装置。
【請求項８】
電波により相手先と交信の可能な携帯電話手段と、
該携帯電話手段を介して入手され、テレビ、ラジオ等の日時に対応付けられた番組表が表示される表示手段と、
該表示手段で表示された番組表の内から視聴を希望する現時刻以降の番組を登録する登録手段と、
日時を算出する時計手段と、
前記登録手段で登録された番組の日時が該時計手段で算出された日時に一致するか否かを判断する日時判断手段とを備え、
該日時判断手段で日時の一致する登録番組の存在するとき、該登録番組を前記表示手段に表示及び／又は警告することを特徴とする携帯端末装置。
【請求項９】
被対象機器に対しリモコン操作可能なリモコン手段を更に備え、
前記登録番組にはＧコードを有し、
前記日時判断手段で日時の一致したとき、該Ｇコードが前記リモコン手段を介して前記被対象機器に投与されることを特徴とする請求項８記載の携帯端末装置。
【請求項１０】
テレビ、ラジオ等の日時及び曜日に対応付けられた番組表を表示する表示手段と、
前記番組表に掲載された各番組の視聴率を視聴時間及び該番組の占有時間から算出する視聴率算出手段と、
日時及び曜日を算出する時計手段と、
該時計手段で算出された日時、曜日及び前記視聴率算出手段で算出された前週迄の前記各番組の視聴率を基にユーザに選択される今週の番組を推定する番組推定手段とを備え、
該番組推定手段で推定された番組を前記表示手段に表示することを特徴とする携帯端末装置。
【請求項１１】
被対象機器に対しリモコン操作可能なリモコン手段を更に備え、
前記登録番組又は前記番組推定手段で推定された番組が該リモコン手段により前記被対象機器にて視聴可能とされることを特徴とする請求項８又は請求項１０記載の携帯端末装置。
【請求項１２】
前記各番組の視聴率及び／又は日時に対しユーザの視聴されている番組の履歴を所定のサーバに対し送信する視聴率送信手段を備えたことを特徴とする請求項１１記載の携帯端末装置。
【請求項１３】
用語に対しひらがな、カタカナ、ローマ字、アルファベット及び漢字のいずれか少なくとも一つが対応付けられ保存された記憶手段と、
用語を形成する文字の先頭部分又は先頭部分の漢字の読みである少なくとも一文字が入力された検索キーと、
該検索キーに基づき前記記憶手段から一致する用語を含む項目を抽出する項目抽出手段とを備えたことを特徴とする携帯端末装置。
【請求項１４】
電波により相手先と交信の可能な携帯電話手段と、
該携帯電話手段を介して入手され、テレビ、ラジオ等の日時に対応付けられた番組表が表示される表示手段と、
該表示手段で表示された番組表の内から視聴を希望する過去の番組を選択する番組選択手段と、
該番組選択手段で選択された番組が所定のサーバに対して送信される送信手段と、
該所定のサーバに保存された前記各番組の内容を示すテキスト、画像、動画及び音声の内のいずれか少なくとも一つを含むデータベースと、
該データベースより前記送信手段で送信された前記番組に一致するデータを抽出するデータ抽出手段と、
該データ抽出手段で抽出されたデータを前記サーバより受信するデータ受信手段とを備え、
前記表示手段では、該データ受信手段で受信したデータが表示されることを特徴とする携帯端末装置。
【請求項１５】
人の体調を選択可能な体調選択手段を備え、
該体調選択手段で選択された体調に応じて前記所定時間が変動されることを特徴とする請求項１、２、３、４、５又は６記載の携帯端末装置。
【請求項１６】
前記体動等検出手段で検出される人の体動が歩数計として利用されることを特徴とする請求項１又は請求項５記載の携帯端末装置。
【請求項１７】
電波により相手先と交信の可能な携帯電話手段と、
薬を飲む時間が警告される警告手段とを備えたことを特徴とする携帯端末装置。
【請求項１８】
電波により相手先と交信の可能な携帯電話手段と、
起床の時間が警告される警告手段とを備えたことを特徴とする携帯端末装置。
【請求項１９】
被対象機器に対しリモコン操作可能なリモコン手段を更に備え、
前記警告手段では、起床の時間に合わせて該リモコン手段により前記被対象機器のスイッチが自動的につけられることを特徴とする請求項１８記載の携帯端末装置。
【請求項２０】
電波により相手先と交信の可能な携帯電話手段又は被対象機器に対しリモコン操作可能なリモコン手段と、
タイマー設定の可能な計数表示手段と、
該計数表示手段でタイマーがカウントアップしたとき警告をする警告手段とを備えたことを特徴とする携帯端末装置。
【請求項２１】
電波により相手先と交信の可能な携帯電話手段と、
テレビ、ラジオ等の放送を受信する放送受信手段と、
前記携帯電話手段を介して入手され、テレビ、ラジオ等の日時に対応付けられた番組表が表示される表示手段と、
該表示手段で表示された番組表の内から視聴を希望する現在時刻に属する番組を選択する番組選択手段と、
該番組選択手段で選択された番組に基づき前記放送受信手段におけるチャンネル合わせが行われるチャンネル選択手段と、
該チャンネル選択手段でチャンネル合わせされた放送を視聴する視聴手段とを備えたことを特徴とする携帯端末装置。
【請求項２２】
有線又は無線により送受信又は受信の可能なテレビ、ラジオ等の視聴手段と、
該視聴手段を介して入手され、テレビ、ラジオ等の日時に対応付けられた番組表が表示される表示手段と、
該表示手段で表示された番組表の内から視聴を希望する現時刻以降の番組を登録する登録手段と、
日時を算出する時計手段と、
前記登録手段で登録された番組の日時が該時計手段で算出された日時に一致するか否かを判断する日時判断手段とを備え、
該日時判断手段で日時の一致する登録番組の存在するとき、該登録番組が前記視聴手段にて流されることを特徴とする情報端末装置。
【請求項２３】
有線又は無線により送受信又は受信の可能なテレビ、ラジオ等の視聴手段と、
該視聴手段を介して入手され、テレビ、ラジオ等の日時及び曜日に対応付けられた番組表と、
該番組表に掲載された各番組の視聴率を視聴時間及び該番組の占有時間から算出する視聴率算出手段と、
日時及び曜日を算出する時計手段と、
該時計手段で算出された日時、曜日及び前記視聴率算出手段で算出された前週迄の前記各番組の視聴率を基にユーザに選択される今週の番組を推定する番組推定手段とを備え、
該番組推定手段で推定された番組が前記視聴手段にて流されることを特徴とする情報端末装置。
【請求項２４】
前記各番組の視聴率及び／又は日時に対しユーザの視聴されている番組の履歴を所定のサーバに対し送信する視聴率送信手段を備えたことを特徴とする請求項２３記載の情報端末装置。
【請求項２５】
用語に対しひらがな、カタカナ、ローマ字、アルファベット及び漢字のいずれか少なくとも一つが対応付けられ保存された記憶手段と、
用語を形成する文字の先頭部分又は先頭部分の漢字の読みである少なくとも一文字が入力された検索キーと、
該検索キーに基づき前記記憶手段から一致する用語を含む項目を抽出する項目抽出手段とを備えたことを特徴とする情報端末装置。
【請求項２６】
既に放送済の視聴番組と、
該視聴番組がその内容に基づき少なくとも一つに分解された部分番組と、
該部分番組と関連付けされ、該部分番組の内容が記載されたブロックと、
該ブロックを少なくとも一つ含む放送内容解説と、
該放送内容解説が関連付けされたその日毎の番組表と、
前記部分番組を再生する再生手段とを備え、
前記番組表、前記放送内容解説及び前記部分番組は所定のサーバよりダウンロードされることを特徴とする視聴システム。
【請求項２７】
前記部分番組中にコマーシャルが挿入されているとき、該コマーシャルに代えて新規のコマーシャルが挿入され、又は前記部分番組中にコマーシャルが存在しないとき、前記部分番組の前又は後ろ等の適所に前記コマーシャルが挿入されたことを特徴とする請求項２６記載の視聴システム。
【請求項２８】
前記番組表、前記放送内容解説及び前記ブロックのいずれか少なくとも一つに記載された内容はテキスト検索可能であることを特徴とする請求項２６又は請求項２７記載の視聴システム。
【請求項２９】
前記番組表、前記放送内容解説及び前記部分番組のいずれか少なくとも一つは保存可能であることを特徴とする請求項２６、２７又は２８記載の視聴システム。
【発明の詳細な説明】
【技術分野】
【０００１】
本発明は携帯端末装置、情報端末装置及び視聴システムに係わり、特に一層の利便性を有し、操作頻度の向上が図れる携帯端末装置、情報端末装置及び視聴システムに関する。
【背景技術】
【０００２】
最近、若い世代を中心に携帯電話の所持が流行となっている。この携帯電話は、いつどこでも電話をかけたり受けたりできるので、便利な機器として必需品になりつつある。
【発明の開示】
【発明が解決しようとする課題】
【０００３】
ところで、この携帯電話を高齢者の立場で見てみると、若者のように多くの高齢者が携帯電話を持つまでには至っていない。原因の一つとして、高齢者に向けての機能が不足するため需要に至っていないのではないかと考えられる。
【０００４】
また、テレビやラジオ、エアコン等の電子機器類を制御するために用いられるリモコンは現在迄相当程度各家庭内に入っており、特にテレビやラジオ等の視聴には無くてはならないものとなっている。この点、若者及び高齢者共に需要は高いことが想定される。
【０００５】
更に、テレビやラジオ等の視聴が室外でも可能となれば、更に一層視聴される機会が多くなるはずである。また、テレビやラジオ等の視聴は現在の放送のみによらず、過去に放送された番組であっても視聴可能とすると視聴の機会が一層増えることが推定される。更に、番組の中の必要な箇所のみをユーザの好きな時間に視聴できれば便利である。
【０００６】
一方、高齢者の体調の異常をセンサ等で検出しようとする場合、従来は、パソコンや通信機器等の特別な装置がセンサ以外に必要であり、その分高価となっていた。
【０００７】
本発明はこのような従来の課題に鑑みてなされたもので、一層の利便性を有し、操作頻度の向上が図れる携帯端末装置、情報端末装置及び視聴システムを提供することを目的とする。
【課題を解決するための手段】
【０００８】
このため本発明（請求項１）は、電波により相手先と交信の可能な携帯電話手段と、人の体動及び／又は移動を検出可能な体動等検出手段と、該体動等検出手段により体動等が所定時間検出されないことを判断する体動等判断手段と、該体動等判断手段で体動等が所定時間検出されなかったとき又は該所定時間経過後にされた所定の案内に対し応答の無かったとき前記携帯電話手段で予め設定された連絡先に対し連絡が取られる連絡手段とを備え、前記携帯電話手段、前記体動等検出手段、前記体動等判断手段、前記連絡手段は一つの筐体内に収納されたことを特徴とする。
【０００９】
体動等検出手段、体動等判断手段はオプションとして、筐体に対し着脱可能としてもよい。人の体動は、携帯端末装置に対するキー操作や携帯端末装置の振動により検出可能である。また、人の移動は、グローバル・ポジショニング・システム（ＧＰＳ）等による位置検出や、充電装置と携帯端末装置の脱着等により判断可能である。
【００１０】
人の体動及び／又は移動が所定時間検出されなかったときには、人が倒れている等の異常事態と判断し、予め設定された連絡先に対し自動的に連絡をする。この連絡は、所定の警告後に行われるようにしてもよい。
【００１１】
以上により、高齢者等の異常を簡易な構成で判断できる。携帯端末装置以外に他の部材は不要である。室内外を問わず人の異常判断が可能である。
【００１２】
また、本発明（請求項２）は、電波により相手先と交信の可能な携帯電話手段と、人の所在位置を検出する所在位置検出手段と、該所在位置検出手段により検出された所在位置を所定時間毎に比較することで人の移動を演算する移動演算手段と、該移動演算手段で人の移動が所定時間検出されなかったとき又は該所定時間経過後にされた所定の案内に対し応答の無かったとき前記携帯電話手段で予め設定された連絡先に対し連絡が取られる連絡手段とを備えて構成した。
【００１３】
ＧＰＳ等で人の所在位置を例えば定期的に所定時間毎に検出する。人が移動すればその所在位置は変動する。所定時間、変動の無い場合には人が異常であると判断する。この際には、ＧＰＳ等により人の所在位置も分かる。
【００１４】
更に、本発明（請求項３）は、電波により相手先と交信の可能な携帯電話手段と、該携帯電話手段のキー操作が人により所定時間行なわれないことを判断するキー操作判断手段と、該キー操作判断手段でキー操作が所定時間行なわれなかったとき又は該所定時間経過後にされた所定の案内に対し応答の無かったとき前記携帯電話手段で予め設定された連絡先に対し連絡が取られる連絡手段とを備えて構成した。
【００１５】
更に、本発明（請求項４）は、電波により相手先と交信の可能な携帯電話手段と、被対象機器に対しリモコン操作可能なリモコン手段と、該リモコン手段及び／又は前記携帯電話手段のキー操作が人により所定時間行なわれないことを判断するキー操作判断手段と、該キー操作判断手段でキー操作が所定時間行なわれなかったとき又は該所定時間経過後にされた所定の案内に対し応答の無かったとき前記携帯電話手段で予め設定された連絡先に対し連絡が取られる連絡手段とを備えて構成した。
【００１６】
携帯端末装置では、携帯電話の機能とリモコンの機能とを有する。高齢者にとって、電話をすることと、テレビ等を視聴する機会は多い。従って、両機能を合わせることで便利になると共に一層キー操作する機会が多くなる。このキー操作の有無により人の異常を判定する。外出時でも人の異常判断が可能である。
【００１７】
更に、本発明（請求項５）は、人の体動及び／又は移動を検出可能な体動等検出手段と、該体動等検出手段により体動等が所定時間検出されないことを判断する体動等判断手段とを備え、前記連絡手段では、該体動等判断手段で体動等が所定時間検出されなかったとき又は該所定時間経過後にされた所定の案内に対し応答の無かったとき前記携帯電話手段で予め設定された連絡先に対し連絡が取られることを特徴とする。
【００１８】
更に、本発明（請求項６）は、光を受光する受光手段と、該受光手段で受光された光を電気信号に変換する信号変換手段と、該信号変換手段で変換された電気信号の大きさの変動を算出する変動算出手段と、該変動算出手段で算出された変動を所定値と比較する比較手段と、該比較手段で比較の結果、前記変動が所定値未満と判断され続ける状態が所定時間続いたとき人の異常を推定する人異常推定手段とを備えて構成した。
【００１９】
更に、本発明（請求項７）は、前記受光手段には、被対象機器を制御するため該被対象機器に対し送受光する送受光素子が用いられることを特徴とする。
【００２０】
更に、本発明（請求項８）は、電波により相手先と交信の可能な携帯電話手段と、該携帯電話手段を介して入手され、テレビ、ラジオ等の日時に対応付けられた番組表が表示される表示手段と、該表示手段で表示された番組表の内から視聴を希望する現時刻以降の番組を登録する登録手段と、日時を算出する時計手段と、前記登録手段で登録された番組の日時が該時計手段で算出された日時に一致するか否かを判断する日時判断手段とを備え、該日時判断手段で日時の一致する登録番組の存在するとき、該登録番組を前記表示手段に表示及び／又は警告することを特徴とする。
【００２１】
更に、本発明（請求項９）は、被対象機器に対しリモコン操作可能なリモコン手段を更に備え、前記登録番組にはＧコードを有し、前記日時判断手段で日時の一致したとき、該Ｇコードが前記リモコン手段を介して前記被対象機器に投与されることを特徴とする。
【００２２】
更に、本発明（請求項１０）は、テレビ、ラジオ等の日時及び曜日に対応付けられた番組表を表示する表示手段と、前記番組表に掲載された各番組の視聴率を視聴時間及び該番組の占有時間から算出する視聴率算出手段と、日時及び曜日を算出する時計手段と、該時計手段で算出された日時、曜日及び前記視聴率算出手段で算出された前週迄の前記各番組の視聴率を基にユーザに選択される今週の番組を推定する番組推定手段とを備え、該番組推定手段で推定された番組を前記表示手段に表示することを特徴とする。
【００２３】
このことにより、ユーザは毎週視聴している番組を視聴し忘れることが無くなる。また、番組の確認等のため携帯端末装置を利用する機会が増える。
【００２４】
更に、本発明（請求項１１）は、被対象機器に対しリモコン操作可能なリモコン手段を更に備え、前記登録番組又は前記番組推定手段で推定された番組が該リモコン手段により前記被対象機器にて視聴可能とされることを特徴とする。
【００２５】
番組は、直ちにリモコン操作により被対象機器にて視聴可能である。
【００２６】
更に、本発明（請求項１２）は、前記各番組の視聴率及び／又は日時に対しユーザの視聴されている番組の履歴を所定のサーバに対し送信する視聴率送信手段を備えて構成した。
【００２７】
更に、本発明（請求項１３）は、用語に対しひらがな、カタカナ、ローマ字、アルファベット及び漢字のいずれか少なくとも一つが対応付けられ保存された記憶手段と、用語を形成する文字の先頭部分又は先頭部分の漢字の読みである少なくとも一文字が入力された検索キーと、該検索キーに基づき前記記憶手段から一致する用語を含む項目を抽出する項目抽出手段とを備えて構成した。
【００２８】
入力する文字の数が少ないので、検索が簡単に行える。高齢者等にとっては負担が少ない。また、キー操作の機会も増大する。
【００２９】
更に、本発明（請求項１４）は、電波により相手先と交信の可能な携帯電話手段と、該携帯電話手段を介して入手され、テレビ、ラジオ等の日時に対応付けられた番組表が表示される表示手段と、該表示手段で表示された番組表の内から視聴を希望する過去の番組を選択する番組選択手段と、該番組選択手段で選択された番組が所定のサーバに対して送信される送信手段と、該所定のサーバに保存された前記各番組の内容を示すテキスト、画像、動画及び音声の内のいずれか少なくとも一つを含むデータベースと、該データベースより前記送信手段で送信された前記番組に一致するデータを抽出するデータ抽出手段と、該データ抽出手段で抽出されたデータを前記サーバより受信するデータ受信手段とを備え、前記表示手段では、該データ受信手段で受信したデータが表示されることを特徴とする。
【００３０】
更に、本発明（請求項１５）は、人の体調を選択可能な体調選択手段を備え、該体調選択手段で選択された体調に応じて前記所定時間が変動されることを特徴とする。
【００３１】
このことにより、高齢者等のその日の体調に応じ、適切な異常判断を行える。
【００３２】
更に、本発明（請求項１６）は、前記体動等検出手段で検出される人の体動が歩数計として利用されることを特徴とする。
【００３３】
体動の歩数計としての利用により、携帯端末装置の利用機会が増え、人の異常判断が一層精度良く行える。
【００３４】
更に、本発明（請求項１７）は、電波により相手先と交信の可能な携帯電話手段と、薬を飲む時間が警告される警告手段とを備えて構成した。
【００３５】
電話をしている際や電話後には、薬を飲むことをつい忘れがちであるが、薬を飲む時間が警告されるので安心である。
【００３６】
更に、本発明（請求項１８）は、電波により相手先と交信の可能な携帯電話手段と、起床の時間が警告される警告手段とを備えて構成した。
【００３７】
更に、本発明（請求項１９）は、被対象機器に対しリモコン操作可能なリモコン手段を更に備え、前記警告手段では、起床の時間に合わせて該リモコン手段により前記被対象機器のスイッチが自動的につけられることを特徴とする。
【００３８】
更に、本発明（請求項２０）は、電波により相手先と交信の可能な携帯電話手段又は被対象機器に対しリモコン操作可能なリモコン手段と、タイマー設定の可能な計数表示手段と、該計数表示手段でタイマーがカウントアップしたとき警告をする警告手段とを備えて構成した。
【００３９】
更に、本発明（請求項２１）は、電波により相手先と交信の可能な携帯電話手段と、テレビ、ラジオ等の放送を受信する放送受信手段と、前記携帯電話手段を介して入手され、テレビ、ラジオ等の日時に対応付けられた番組表が表示される表示手段と、該表示手段で表示された番組表の内から視聴を希望する現在時刻に属する番組を選択する番組選択手段と、該番組選択手段で選択された番組に基づき前記放送受信手段におけるチャンネル合わせが行われるチャンネル選択手段と、該チャンネル選択手段でチャンネル合わせされた放送を視聴する視聴手段とを備えて構成した。
【００４０】
番組表から現在時刻に属する番組を選択することで、放送中の番組を受信し、視聴可能である。また、スピーカは人異常の際に使用されるものと共用できる。従って、便利であると共にキー操作の機会も増える。
【００４１】
更に、本発明（請求項２２）は、有線又は無線により送受信又は受信の可能なテレビ、ラジオ等の視聴手段と、該視聴手段を介して入手され、テレビ、ラジオ等の日時に対応付けられた番組表が表示される表示手段と、該表示手段で表示された番組表の内から視聴を希望する現時刻以降の番組を登録する登録手段と、日時を算出する時計手段と、前記登録手段で登録された番組の日時が該時計手段で算出された日時に一致するか否かを判断する日時判断手段とを備え、該日時判断手段で日時の一致する登録番組の存在するとき、該登録番組が前記視聴手段にて流されることを特徴とする。
【００４２】
視聴手段には、テレビ、ラジオ等が一体化された携帯電話等も含んで考える。
【００４３】
更に、本発明（請求項２３）は、有線又は無線により送受信又は受信の可能なテレビ、ラジオ等の視聴手段と、該視聴手段を介して入手され、テレビ、ラジオ等の日時及び曜日に対応付けられた番組表と、該番組表に掲載された各番組の視聴率を視聴時間及び該番組の占有時間から算出する視聴率算出手段と、日時及び曜日を算出する時計手段と、該時計手段で算出された日時、曜日及び前記視聴率算出手段で算出された前週迄の前記各番組の視聴率を基にユーザに選択される今週の番組を推定する番組推定手段とを備え、該番組推定手段で推定された番組が前記視聴手段にて流されることを特徴とする。
【００４４】
更に、本発明（請求項２４）は、前記各番組の視聴率及び／又は日時に対しユーザの視聴されている番組の履歴を所定のサーバに対し送信する視聴率送信手段を備えて構成した。
【００４５】
更に、本発明（請求項２５）は、用語に対しひらがな、カタカナ、ローマ字、アルファベット及び漢字のいずれか少なくとも一つが対応付けられ保存された記憶手段と、用語を形成する文字の先頭部分又は先頭部分の漢字の読みである少なくとも一文字が入力された検索キーと、該検索キーに基づき前記記憶手段から一致する用語を含む項目を抽出する項目抽出手段とを備えて構成した。
【００４６】
更に、本発明（請求項２６）は、既に放送済の視聴番組と、該視聴番組がその内容に基づき少なくとも一つに分解された部分番組と、該部分番組と関連付けされ、該部分番組の内容が記載されたブロックと、該ブロックを少なくとも一つ含む放送内容解説と、該放送内容解説が関連付けされたその日毎の番組表と、前記部分番組を再生する再生手段とを備え、前記番組表、前記放送内容解説及び前記部分番組は所定のサーバよりダウンロードされることを特徴とする。
【００４７】
放送済の視聴番組をその内容に基づき分解し、部分番組を作成する。この部分番組は例えばストリーミング処理に対応されたファイル等である。放送内容解説は、例えばＨＴＭＬ文書にて構成され、部分番組に対応され、少なくとも一つのブロックに分けられている。ブロックには部分番組の内容が記載されている。従って、好みのブロックを見つけやすい。
【００４８】
そして、このブロックが選択されることにより、部分番組が抽出されるように関連付けされている。番組表は、放送済の視聴番組の各日単位の番組表であり、この番組表から好みの視聴番組を選択することで、放送内容解説が抽出されるように関連付けされている。番組表は、例えばキー操作で番組表を繰ったり、カレンダー等により月日を選択することで選択されるのが望ましい。
【００４９】
以上により、既に放送済の視聴番組のすべて又はユーザに必要な部分を簡単に再生することができる。キー操作の機会が増えることで人の異常判断にも寄与する。
【００５０】
更に、本発明（請求項２７）は、前記部分番組中にコマーシャルが挿入されているとき、該コマーシャルに代えて新規のコマーシャルが挿入され、又は前記部分番組中にコマーシャルが存在しないとき、前記部分番組の前又は後ろ等の適所に前記コマーシャルが挿入されたことを特徴とする。
【００５１】
新規のコマーシャルが挿入されることで、再放送に対する新規メーカーの賛助を得ることができる。従って、かかる再放送をユーザに対し無料で行うことができる。
【００５２】
更に、本発明（請求項２８）は、前記番組表、前記放送内容解説及び前記ブロックのいずれか少なくとも一つに記載された内容はテキスト検索可能であることを特徴とする。
【００５３】
過去に放送された番組を簡単に見つけ、再生することができる。
【００５４】
更に、本発明（請求項２９）は、前記番組表、前記放送内容解説及び前記部分番組のいずれか少なくとも一つは保存可能であることを特徴とする。
【発明の効果】
【００５５】
以上説明したように本発明によれば、体動等検出手段や体動等判断手段を備えて構成したので、高齢者等の異常を簡易な構成で判断できる。携帯端末装置以外に他の部材は不要である。室内外を問わず人の異常判断が可能である。
【発明を実施するための最良の形態】
【００５６】
以下、本発明の実施形態について説明する。本発明の第１実施形態のブロック図を図１に、外観図を図２に示す。図１及び図２において、携帯端末装置１０には、携帯電話回路１とリモコン回路３とが一つのユニット５内に収納されている。携帯電話回路１にはアンテナ７が配設され、図示しない携帯電話基地局と無線にて交信可能なようになっている。携帯電話回路１にはスピーカ９とマイクロフォン１１が配設され、相手先と無線電話可能なようになっている。
【００５７】
リモコン回路３には、ユニット５の先端部に送受光部１３を有し、例えばテレビやビデオ、ラジカセ等との間で赤外線や超音波、無線、レーザ等による交信が可能なようになっている。操作表示部２０には、テンキー１５、操作キー１７等の各種キーと液晶画面２１が配設されている。
【００５８】
キー類は携帯電話回路１とリモコン回路３とで共通化されている。制御部２３は、各回路間の調整、制御を行うようになっている。ユニット５内には時計機能部２５が配設され、システム全体の日時管理を行うようになっている。切替ボタン１４によりテレビやエアコン等のモードの切替えが可能であり、設定項目等は、液晶画面２１に表示されるようになっている。
【００５９】
人異常判断部２７は、高齢者等が体調の異常により動けなかったり、病気等で危険な状態にあることが判断されるようになっている。電源部２９は携帯電話回路１やリモコン回路３等の共通電源であり、充電装置６１にユニット５が載置されることで電磁的に充電可能なようになっている。
【００６０】
次に、本発明の第１実施形態の動作を説明する。
携帯電話回路１によれば、携帯電話として、テンキー１５にてダイヤル選択された相手先と電話をすることができる。また、相手先からの電話を受信できる。更に、インターネットに接続可能である。一方、リモコン回路３によれば、テレビやビデオ等との間で赤外線による交信が可能であり、チャンネルの変更やスイッチの入り切り操作、音量調節等が可能である。
【００６１】
まず、人異常判断部２７の操作を図３のフローチャートに基づき説明する。
図３のステップ１（図中Ｓ１と略す。以下、同旨）で、電源部２９の投入により人異常判断のフローが開始する。ステップ２では、スリープボタン６３が押されているか否かが判断される。
【００６２】
スリープボタン６３は、ユーザが昼寝や就寝等をしようとする場合や、警告等を望まない場合に押すものである。スリープボタン６３が押された場合には、手動解除されるまで待機状態とする。または、予め設定された時間（例えば就寝時間を相当程度超える時間）の経過後に自動解除される。更に、起床時間の設定が行われた場合にはその起床時間に自動解除されてもよい。
【００６３】
スリープボタン６３が押されていない場合には、ステップ３でタイマーのリセットが行われた後、ステップ４でタイマーカウントされ、ステップ５で、このタイマーカウントされた時間が予めユーザにより設定された設定時間Ｔと比べられる。そして、タイマーカウント時間が、設定時間Ｔを超えたときステップ７に進む。設定時間Ｔの設定は短くするのが人異常判断の精度を向上させるのには望ましい。
【００６４】
設定時間Ｔを例えば２４時間等のように長く設定した場合には、スリープボタン６３を押す必要が無くなる代わりに、人異常判断の精度は落ちる。但し、毎日決まった時間に就寝等をしている場合には、設定によりこれらの時間内は人異常の判断を不感知としてもよい。
【００６５】
また、その日のユーザの体調に応じて「体調がよい。」「体調は普通」「体調は少し良くない。」「体調が良くない。」の各項目を液晶画面２１に表示し、この液晶画面２１でその日の体調を選択する。そして、それぞれの項目に応じた設定時間Ｔや警告の回数等を段階的に自動設定するようにしてもよい。
【００６６】
あるいは、バー表示等で体調に応じた設定時間Ｔ等を連続的に調節可能としてもよい。更に、別途配設された検知システムにより血圧や脈泊数、体温等を検出し、携帯端末装置１０を介して所定先にデータ送信するような場合には、この血圧等の数値如何で設定時間Ｔや警告の回数等を自動設定するようにしてもよい。
【００６７】
ステップ７では、いずれかのキー操作がされたか否か判断される。キー操作がされている場合には、人は正常であると判断されるのでステップ２に戻る。キー操作がされていない場合には、人が倒れている等異常であるおそれが考えられるので、ステップ９で警告をする。この警告は、液晶画面２１を点滅させたり、断続的な電子音若しくは「大丈夫ですか。いずれかのキーを押してみて下さい。」とのメッセージ等である。
【００６８】
警告が解除されたか否かをステップ１１で判断し、警告が解除された場合にはステップ２に戻る。警告が解除されない場合にはステップ１３で、緊急の旨の電話が予め定めた連絡先にかけられる。但し、ステップ９の警告を断続的に間隔をおいて何度か繰り返した後、ステップ１３に進むようにしてもよい。
【００６９】
高齢者等が、テレビを見たり、電話をする場合には、およそ、その人の体調は正常であると判断できる。また、所定時間にわたり、チャンネル操作等が行われない状態は、異常ではないかと疑うことができる。
【００７０】
携帯電話機能を有するため、異常と判断された場合には、所定の警告後、直ちに緊急通報として予め登録された相手先に自動的につなげ、連絡が取られる。また、この際には相手先からの呼びかけで、携帯端末装置１０の裏側に向けた図示しない内蔵スピーカにより直接高齢者等とのコミュニケーションをとることができる。
【００７１】
携帯端末装置１０以外に他の部材は何も必要無いので、安価に構成できる。携帯電話とリモコン機能とが一体化されている分、部品点数も減る。但し、回路やキー類は共通化せずに構成することも可能である。携帯電話とリモコンの双方を使うことになるため、キー操作の頻度が高い。
【００７２】
また、リモコンと電話の双方は、日常的に見ても非常に高齢者等にとって使われているものなので、この点からも人異常判断の精度の向上が期待できる。携帯端末装置１０は、携帯電話として、持って外出することも可能であるため、室内のみの判断処理に限定されない。外出時でも人の保護が可能である。
【００７３】
なお、リモコンは、テレビやビデオに限らず、エアコン、照明、オーディオ機器、カーテレビ、カーエアコン等に関しても本携帯端末装置１０で利用可能としてもよい。また、設定時間Ｔは２種類に分けて設定してもよい。例えば、室内ではリモコン機能が頻繁に使用されることが考えられるので、設定時間Ｔは小さく設定可能である。一方、屋外では携帯電話のみが利用される。
【００７４】
このため、屋外におけるキー操作の頻度は室内に比べると少ないことが想定される。従って、設定時間Ｔは大きく設定する。かかる室内と室外の両モードの切替えを自動的に行うため、例えば充電装置６１と携帯端末装置１０間にスイッチを設け、携帯端末装置１０が人に携帯され離隔されたことを判断する。
【００７５】
あるいは、充電装置６１より間欠的に赤外線を照射したり、弱い電波を送り、携帯端末装置１０が室内から出た場合には、光量や電波量の低下からかかるモードの切替えを自動で行うようにしてもよい。なお、このスイッチのＯＮ、ＯＦＦや、モードの切替えにより人が正常であると判断してもよい。
【００７６】
次に、本発明の第２実施形態について説明する。
本発明の第２実施形態は、携帯端末装置１０が携帯されている際の処理方法についてである。この場合、電話機能利用の機会は少ないことが想定されるので、スイッチ操作の検出に加え、体動や移動等の振動を検出するようにする。図４に示すように、ステップ７とステップ９の間に体動等の検出がされたか否かの判断ステップであるステップ８を加える（図示略）。
【００７７】
体動検出部の構成の一例を図５に示す。図５において、球体３１は四方がバネ３３により保持されている。バネ３３と球体３１は電導性を有しており、球体３１が金属壁３５又は金属蓋３７ａ、３７ｂと接触した場合には電流が流れるようになっている。そして、パルス検出回路３９では、この電流の変化を電圧変換し、波形整形することでパルス信号を検出可能なようになっている。
【００７８】
また、体動検出部の別例を図６に示す。図６において、中空の電磁コイル４１ａ、４１ｃはｘ軸上に配設され、中空の電磁コイル４１ｂ、４１ｄはｙ軸上に配設され、原点で交差するようになっている。そして、電磁コイル４１は金属蓋４７の中央に固定されている。
【００７９】
電磁コイル４１ａ、４１ｂ、４１ｃ、４１ｄの内側には磁石棒４３ａ、４３ｂ、４３ｃ、４３ｄが移動自在に挿入され、磁石棒４３の外側端部にはバネ４５の一端が取り付けられ、バネ４５の他端は周壁４７に固定されている。
【００８０】
電磁コイル４１ａ、４１ｃ及び電磁コイル４１ｂ、４１ｄは端子がそれぞれ直列に接続され、抽出された端子間電圧はパルス検出回路４９Ａ、４９Ｂに入力されるようになっている。
【００８１】
かかる構成において、磁石棒４３の移動により発生した電磁コイル４１の起磁力を予め設定した電圧値と比較することで体動を検出する。
【００８２】
また、磁石棒４３に代えて金属棒とし、電磁コイル４１には定電流を流し、金属棒の移動を誘導起電力の変化として捉え検出するようにしてもよい。更に、誘導現象によらず、電磁コイル４１に代えて筒体を配設し、筒体側部の適所にスリットを配設し、このスリット間に光を通過させ、金属棒の移動によりこの光が遮断されたか否かを検出することで光素子により振動検出するようにしてもよい。
【００８３】
更に、携帯端末装置１０を腰等に装着するようにすれば、この振動検知を利用して歩数計にも使用可能である。液晶画面２１には、何歩歩行したかの表示を行う。毎日の履歴を表示するようにしてもよい。毎日の目標歩数を設定し、比較の結果を液晶画面２１に表示するようにしてもよい。振動検知中は、人は正常と判断できる。
【００８４】
次に、本発明の第３実施形態について説明する。
本発明の第３実施形態は、図４のステップ８における振動検出に代え、携帯電話回路１によるグローバル・ポジショニング・システム（ＧＰＳ）や各送信所から送信された受信電波の強弱を利用したナビゲーションサービスを受けることにより人の移動を検出するものである。
【００８５】
前述の室外モードに入った場合には、携帯端末装置１０は、ＧＰＳ等により所定時間毎に定期的に位置確認を行う。そして、位置の移動があったか否かを演算し、移動があった場合には人が正常であると判断する。所定時間にわたり移動が無かった場合には、警告を発し、その警告に対する反応が無かった場合には携帯電話回路１により予め定めた相手先に連絡をする。
【００８６】
なお、かかるＧＰＳによらず、携帯端末装置１０に内蔵された送受光部１３の光検出素子により蛍光灯や赤外線等の光量の変動を常時検出するようにしてもよい。部屋間の光量は異なり、室内の電灯の入り切りを光量の変動の程度で検出可能である。
【００８７】
自然光の場合には通常徐々に光量は変化するので、変動率を求めれば人の動きを検出可能である。カーテン等を操作した場合や携帯端末装置１０がバッグに入れられた等の場合には、光量の変動の程度は大きく人は正常であると判断する。また、送受光部１３の光検出素子によらず、携帯端末装置１０に別途光検出素子を配設するようにしてもよい。
【００８８】
次に、本発明の第４実施形態について説明する。
本発明の第４実施形態は、携帯端末装置１０にテレビの番組表７１をダウンロードし、視聴したいテレビ番組やラジオ番組等を見逃さないようにするものである。高齢者は、特に視聴したい番組等のあることを忘れがちになっている。
【００８９】
このため、視聴したい番組等を的確にユーザに提示すると共に、適宜キー操作をしてもらうことで、一層の携帯端末装置１０の利用を促進し、人異常の検出精度を上げるものである。
【００９０】
携帯端末装置１０はインターネットに接続されており、サーバに対し毎週１回、あるいは月１回定期的に図７で示すような番組表７１をダウンロードする。番組表７１は、例えばＨＴＭＬ文書により構成される。ダウンロードは自動で行われるのが望ましい。または、双方向のディジタルテレビ等にて同様の処理を行うようにしてもよい。
【００９１】
図７において、液晶画面２１には、例えばＮＨＫテレビのチャンネル１の日曜日の番組及びＧコードが表示されている。操作キー１７を上下方向に操作すれば時間送りをすることができる。更に上下方向に操作を続ければ日の異なる番組表７１に移ることができる。
【００９２】
また、シフトキー６７を繰り返し操作すれば日を更新できる。但し、このとき、図１３に示すようなカレンダー１００を表示する。そして、このカレンダー１００から年月日を指定することで、その年月日に属する番組表７１をサーバよりダウンロード可能としてもよい。番組表７１は所定時間経過すると、自動的に今日の現時刻のものに変わる。一方、操作キー１７を左右方向に操作することで、チャンネルを移行することができる。
【００９３】
このように、番組表７１を繰り、視聴したい番組を見つけた場合にはその番組を予め登録しておくことが可能である。この場合、番組にカーソルの位置合わせを行い、決定ボタン６５を押すことで登録可能である。複数の番組について登録が可能である。
【００９４】
次に、液晶画面２１の番組表示をユーザの好みに応じた形で表示する方法について説明する。まず、当該ユーザの各番組に対する平均視聴率を図８のフローチャートに基づき算出する。
【００９５】
ステップ２１で処理を開始する。ステップ２３では、今日の年月日を時計機能部２５より読む。ステップ２５では一つのチャンネルである例えば第１チャンネルを選択する。ステップ２７では、番組の占有時間を求める。例えば図７の例で、第１チャンネルでは１２時より１３時迄が占有時間（簡単化のためニュース番組をも含めている）、第３チャンネルが１２時より１２時２０分迄が占有時間である。
【００９６】
ステップ２９では、この第１チャンネルの当該番組がユーザに見られた時間が合計される。ステップ３１では、この第１チャンネルの番組の占有時間である６０分に対するユーザに視聴された時間の比が算出される。ステップ３３で、すべてのチャンネルについてステップ２５からの処理を繰り返す。ステップ３５で、各番組に対応されて、算出された視聴率が保存される。
【００９７】
ステップ３７では、正月やお盆等不定期番組の用意されている日に一致するか否か判断する。一致する場合には、ステップ２３に戻る。一方、一致しない場合には、ステップ３９に進み、算出された視聴率に対し週単位の平均をとる。例えば、２〜３週間前迄のデータの平均をとる。但し、今週の番組名と番組名が一致するものに限り平均をとり、一致するものが存在しない場合には、平均はとらない。
【００９８】
次に、ユーザの過去の視聴動向や番組の登録から適当な番組を時々刻々知らせする方法について、図９のフローチャートに基づき説明する。
【００９９】
ステップ５１で処理を開始する。ステップ５３では、今日の曜日と時刻を時計機能部２５より読む。ステップ５５ではユーザによって登録された番組が存在するか否か判断する。登録された番組が存在すると判断された場合には、ステップ５７で、登録のチャンネルを選択する。登録された番組が存在しないと判断された場合には、ステップ５９で、ステップ３９により演算された現曜日に属する現時刻のデータをチャンネル毎に比較し、最も大きい数値のデータを推定番組として抽出する。
【０１００】
但し、前もってこの推定番組を抽出し、予告として表示するようにしてもよい。このとき推定された番組は、過去の履歴からみてユーザが見ると推定される番組である。なお、この際、当該チャンネルの番組名（Ｇコードでもよい）を比較し、番組が変更になっている場合には、番組が変更になったことを知らせるようにしてもよい。
【０１０１】
ステップ６１では、液晶画面２１の番組表示について、画面の先頭行に当該チャンネルの当該番組を表示する。登録された番組の場合には、電子音を吹鳴させたり、画面を点滅させたりする。なお、登録された番組の存在する場合には、所定時間前にこの表示等をするようにしてもよい。ユーザは、この表示された番組が希望の番組でない場合には、操作キー１７により適宜番組表７１を移動させて希望の番組を探す。
【０１０２】
ユーザが高齢者の場合には、キーの操作を行ってもらうため、番組の提示は表示等のみに止め、その後の番組のキー操作は手入力で行ってもらうのが望ましい。しかしながら、一般のユーザに対しては、手入力によらず表示された番組に従い自動で番組の切替えを行うようにしてもよい。
【０１０３】
当該番組に関し、送信操作することでＧコードをビデオに対し送信可能としてもよい。また、設定により、操作キー１７を上下方向に操作したとき、登録番組又は推定番組のみが次々に画面表示可能とする。
【０１０４】
なお、番組のダウンロードを行うため、所定のサーバと交信する際には、ステップ３５で、算出された視聴率を週単位にまとめて送信することとすれば視聴率を収集可能である。この視聴率は、番組毎に対応されたものであるが、日時とユーザの視聴したチャンネル情報を取得し、時々刻々又はサンプリングデータとして保存する。
【０１０５】
そして、このデータをまとめて交信の際に収集する。収集されたデータをサーバ側で解析することとすれば番組の瞬間視聴率をも演算可能である。視聴率を回収させてもらった代償にサーバとの通信費用等を無料又は低額とすることも可能である。
【０１０６】
また、この交信の際には、時計機能部２５の時計合わせを行うのが望ましい。更に、番組のダウンロードや表示、視聴率演算等は、携帯端末装置１０側で行わず、テレビ側で行うようにしてもよい。この場合には、画面も大きく、表示される項目数も増える分見やすくなる。
【０１０７】
次に、番組表７１から今日の現在時刻を含む番組が選択された場合について説明する。
【０１０８】
携帯端末装置１０には、テレビやラジオ等の放送番組を受信可能な受信装置を内蔵する。受信された放送番組は液晶画面２１により映像表示され、スピーカ９やイヤホン等から音声を聞くことができる。スピーカ９は、人異常の際の案内等にも兼用可能である。また、携帯端末装置１０の図示しない記憶部にはダウンロードされた番組表からチャンネル番号を抽出し、このチャンネル番号を基に受信装置のチャンネルを切り換えるアプリケーションソフトが記憶されている。
【０１０９】
選択されたチャンネル情報は、送受光部１３より赤外線、無線、超音波等により別途配設されたテレビやラジオ側に送信され、これらのチャンネルを遠隔操作により変えることも可能である。また、室外モード時においては、ダウンロードされた番組表７１から選択された番組が今日の現在時刻を含む番組であるとき、まず携帯端末装置１０によりチャンネル情報が抽出される。
【０１１０】
そして、このチャンネル情報に基づき受信装置のチャンネルが切り換えられる。このチャンネルで受信された放送番組は液晶画面２１により映像表示され、スピーカ９やイヤホン等から音声が流れる。
このことにより、室外でも携帯端末装置１０が利用される機会が増える。
【０１１１】
次に、番組表７１より希望の番組を検索する方法について説明する。
番組名や出演者名等は、それぞれひらがな及び／又はカタカナ表記にて対応付けがされて番組表７１と共に送信される。
【０１１２】
また、その番組の内容については名詞等の所定の単語に解析され、同様にひらがな等表記にて対応付けがされて送信される。送信されたデータは図示しない記憶部に保存されている。番組の内容については、新聞等で見かける見出し項目のみではなく、曲名等の細かいデータも送信されるのが望ましい。
【０１１３】
ユーザは、例えば「美空ひばり」を検索したい場合には、検索ボタンを押す。この際、検索ボックスが液晶画面２１に表示される。ユーザは、キー操作により例えば「み」「そ」と、用語を形成する文字の先頭部分又は先頭部分の漢字の読みである少なくとも一文字を入力する。
【０１１４】
その後、この検索ボタンを押すと、記憶部から「み」「そ」の文字頭部を有する候補となる番組が検索される。この結果、「美空ひばり」の出演する番組を抽出し、この番組を登録等できる。シフトキー６７を操作すれば次の検出結果である番組が表示される。
【０１１５】
かかる検索を行えるようにすることで、利便性が増すと共に、ユーザが高齢者の場合にはキー操作の頻度が増す。なお、本検索方法は、この番組表７１のみに限るものではなく、ダウンロード可能な曲名や歌手名等に対しても適用可能である。なお、検索は、サーバ側の検索エンジンにて検索するようにしてもよい。
【０１１６】
また、番組表７１の各番組を選択すると、当該番組の放送内容解説１０１が、インターネットを通じてダウンロードされる。放送内容解説１０１は、例えばＨＴＭＬ文書により構成される。この放送内容解説１０１は、図１４に示すようにその放送内容に応じて複数のブロック１０３ａ〜１０３ｇに仕切られて表示される。各ブロック１０３にはトピックス１０５と、簡単な内容要約１０７がテキスト記載されている。
【０１１７】
なお、ニュース等は、一つのブロックとして表示されてもよいが、ニュース項目毎に応じてブロックに仕切られてもよい。そして、この放送内容解説１０１のキーワード又は全文は検索エンジンにデータベースとして登録されており、所望のキーワードの入力により検索可能なようになっている。検索された結果の放送内容解説１０１は、ダウンロードされ液晶画面２１に表示される。
【０１１８】
次に、過去に放送された番組でユーザの見逃した番組の存在する場合について説明する。
【０１１９】
かかる場合、ユーザはカレンダー１００等により過去の番組表７１に戻り、見逃した番組を選択する。過去の番組表７１は携帯端末装置１０に保存されてもよいが、サーバ側よりダウンロードされてもよい。あるいは、検索エンジンによりキーワード検索されてもよい。例えば、図１４の場合に、「思いっきりテレビ」と「今日は何の日」の論理積を取り、年月日による範囲指定で検索を実施等することも可能である。見たい番組の存在した場合には、その番組を選択する。
【０１２０】
このとき、選択された番組のアドレスであるＵＲＬ（又はＧコードであってもよい）がサーバに送信され、サーバ側にてＵＲＬの一致する番組が抽出される。
その後、この番組はダウンロードされる。番組は、例えばストリーミング処理に対応されたファイルであり、ファイルの完全なダウンロードを待たずにリアルタイムに再生処理が行われるようになっている。再生等に必要なアプリケーションソフトは予め記憶部に保存されている。
【０１２１】
このファイルは、各ブロック１０３に対応されて構成されている。即ち、一つの番組は、各ブロック１０３ａ〜１０３ｇ毎にその内容に応じて区切りのよい箇所で適宜カットされ、部分ファイル化されている。
【０１２２】
そして、この各ブロック１０３ａ〜１０３ｇには相対アドレスであるＵＲＬが埋設されており、各ブロック１０３が選択されることによりリンクされた部分ファイルが抽出され、再生可能なようになっている。ブロック１０３の選択は複数選択が可能であり、この場合には、複数の部分ファイルが順に再生される。番組名１１１を選択すればすべての部分ファイルが順に再生される。
【０１２３】
なお、放送中に表示されたレシピ（図１４においては、ブロック１０３ｄに情報が含まれている）や電子メールのアドレス等のように短時間ではメモ等するのが困難で、静止した状態で何度も確認したいものは、独立した部分ファイルにて構成されるようにしてもよい。
【０１２４】
この場合、レシピの存在する部分のみをカットした形で部分ファイル化し、かつ前後をも部分ファイル化してもよい。しかしながら、ブロック１０３ｄにリンクされた部分ファイル中に放送されるレシピ等はそのまま維持し、部分ファイルの最後等に独立した新規の部分ファイルを作成してもよい。
【０１２５】
このときすべての部分ファイルを再生する場合には、このレシピ等が存在する最後の部分ファイルは再生しないこととする。但し、再生されても、内容は重複することになるが短時間なので支障はない。ファイルの再生は一時停止や巻き戻し、早送り等可能であるのが望ましい。また、別途接続されるプリンタ等により画像の印刷を可能としてもよい。
【０１２６】
更に、各ブロック１０３に属する部分ファイルには、コマーシャルが含まれているものと含まれていないものとが存在する。コマーシャルが含まれている部分ファイルに対しては、このコマーシャルに相当する箇所をカットして前後に部分ファイルを作成する。
【０１２７】
そして、放送されたときのメーカーのコマーシャルに代えて、新規メーカーによる別コマーシャルの含まれた部分ファイルを挿入する。このことにより、再放送に対する新規メーカーの賛助を得ることができる。但し、最初の放送時のメーカーからの賛助が得られればそのままの状態を維持する。
【０１２８】
また、コマーシャルが含まれていない部分ファイルのみがダウンロードされる場合には、その最初の部分や中間にコマーシャルの含まれた部分ファイルを挿入した上でダウンロードする。コマーシャルの時間は、最初の放送時のものと同一時間のものが望ましいが、必ずしもこれに限定されるものではない。
【０１２９】
コマーシャルは、サーバ側にて予め登録されたものの中から適宜選択されて挿入される。複数のコマーシャルをシーケンシャルに組み合わせて連続放映可能としてもよい。コマーシャル費用はユーザによるそのコマーシャルが含まれた部分ファイルのアクセス数等に応じて決められてもよい。従って、ユーザは無料にて過去に放送された放送済の番組を任意に好きな時間に視聴できる。
【０１３０】
なお、ユーザの選択により、コマーシャルを無くした形でダウンロードされてもよい。この場合には、有料として課金されるのが望ましい。
【０１３１】
更に、放送内容解説１０１は、部分ファイルと共に携帯端末装置１０に保存可能である。従って、携帯端末装置１０でのテキスト検索（図１４の例では例えば「肩こり」等）により所望の放送内容解説１０１を抽出し、再生することが可能である。このとき、ユーザは放送内容解説１０１を読むことができるので、番組のあらましを把握した上で、真にユーザが必要な部分のみのブロック１０３を選択し映像と音声で視聴することができる。
【０１３２】
あらましは、重要な点のみを斜め読み等することも可能なので効率がよい。また、保存された部分ファイルのすべてを見るようにダウンロードされ、かつ保存された場合であっても、そのすべてを再び再生せずに、ブロック１０３で選択した部分のみを再生することが可能である。
【０１３３】
なお、携帯端末装置１０は、パソコン等の情報端末装置としてもよい。また、番組のダウンロード等は、携帯端末装置１０側で行わず、テレビ側で行うようにしてもよい。このとき、携帯端末装置１０のリモコン機能により操作が行われる。
以上により、現在放送中の番組の他、既に放送済の番組をも視聴可能である。
【０１３４】
かかる操作を行えるようにすることで、利便性が増すと共に、ユーザが高齢者の場合には外出時等においても携帯端末装置１０のキー操作の頻度が増す。
【０１３５】
次に、本発明の第５実施形態について説明する。
本発明の第５実施形態は、携帯端末装置１０に緊急スイッチ６９を配設するものである。緊急スイッチ６９を高齢者が押した場合は、予め定めた緊急連絡先に対し自動的に呼び出しが行われ、通話が可能となる。この際には、携帯端末装置１０の背面のスピーカを通して手ぶらでも話すことが可能である。
【０１３６】
次に、本発明の第６実施形態について説明する。
本発明の第６実施形態は、携帯端末装置１０に時刻管理の設定が行えるようにするものである。
【０１３７】
まず、昼寝や就寝等の場合の時刻管理方法について説明する。
スリープボタン６３を押すと図１０のバー８１が液晶画面２１に表示される。バー８１の上端は現在時刻である。
【０１３８】
そして、この現在時刻以下に時間目盛りが表示されている。操作キー１７でカーソル８３を上下することで起床時刻を設定する。図１０の例では、現在時刻が１４時３５分であり、１６時に起床したいものとする。決定ボタン６５を押して設定する。
【０１３９】
このとき、予め定めた時間である例えば１５分間テレビをつけた状態とする。１５分経過後、テレビは自動的に消され、起床時間である１６時に再びつけられる。この際には、スリープモードは解除される。
【０１４０】
テレビはその後手動にて消す。１５分経過した場合にもまだ眠れない場合には、もう一度スリープボタン６３を押すと、再び１５分間テレビをつけた状態となる。但し、時刻の表示方法は、バー表示によらずアナログ時計を液晶画面２１に表示し、起床時刻等を設定可能としてもよい。
【０１４１】
また、この場合には、スリープボタン６３を押すという行為だけで番組は自動選択され、毎週視聴している好みの番組や登録された番組を視聴することが可能である。従って、眠くなった状態にあって番組を選択する等の余計な神経を使う必要はない。ユーザの毎週の、あるいは毎日の好みの番組で就寝し、好みの番組で起床可能である。なお、先述した液晶画面２１でのその日の体調の選択は、この起床時に自動表示され、選択してもらうようにするのが望ましい。
【０１４２】
次に、料理や風呂の水張り等の場合の時刻管理方法について説明する。
タイマーボタン８５を押すと、図１１のバー８７が液晶画面２１に表示される。バー８１の下端はタイマー開始時刻である。操作キー１７を上下することでタイマーを設定する。この設定されたタイマーは決定ボタン６５を押すことで起動開始する。タイマーの残り量が目視可能なように量表示する。
【０１４３】
以上により、日常生活の中で携帯端末装置１０を頻度高く操作してもらうことができる。
【０１４４】
次に、薬を飲むための時刻管理方法について説明する。
高齢者の多くは何らかの薬を飲んでいる場合が多い。また、何かの都合でこの薬を飲むのを忘れたり、医師の指示された通りの時間に飲めないこともある。このような弊害を少なくすると共に、出来るだけ多くの回数、携帯端末装置１０を操作してもらうことで、人異常の判断の精度を向上させるものである。
【０１４５】
図１２において、食事の終了時に食後ボタン９１を押すと、食後３０分以内である例えば食後２０分に「薬を飲む時間です。」とのメッセージ若しくは警報が吹鳴されて知らされる。時間は設定変更可能である。このとき、食後ボタン９１が点滅されてもよい。その後、手動解除を行う。
【０１４６】
また、食事の終了時に食間ボタン９３を押すと、食間である例えば食後３時間に「薬を飲む時間です。」とのメッセージ若しくは警報が吹鳴されて知らされる。その後、手動解除を行う。食間ボタン９３をも食事の終了時に押すこととすれば、高齢者にとって分かりやすい。食後の薬と食間の薬の両方飲用する場合には設定が一度にすみ楽である。
【０１４７】
更に、食前ボタン９５を押すと、バー９７が液晶画面２１に表示される。操作キー１７を上下することで、いつ食事をするか、食事の時間を設定する。このとき、食事の時間の例えば２０分前に「薬を飲む時間です。」とのメッセージ若しくは警報が吹鳴されて知らされる。その後、手動解除を行う。
【０１４８】
食後ボタン９１、食間ボタン９３、食前ボタン９５共に食事の時間を基準にしているので覚えやすい。また、設定時と解除時の各回にキー操作を行うことになるので、日常的にキー操作が行われることになり、人の異常判断の精度を向上させることができる。
【図面の簡単な説明】
【０１４９】
【図１】本発明の第１実施形態のブロック図
【図２】同上外観図
【図３】フローチャート（その１）
【図４】フローチャート（その２）
【図５】体動検出部の構成の一例
【図６】体動検出部の別例
【図７】携帯端末装置に表示された番組表
【図８】フローチャート（その３）
【図９】フローチャート（その４）
【図１０】バー表示例
【図１１】バー表示例
【図１２】バー表示例
【図１３】カレンダーの例
【図１４】放送内容解説
【符号の説明】
【０１５０】
１      携帯電話回路
３      リモコン回路
５      ユニット
７      アンテナ
９      スピーカ
１０    携帯端末装置
１１    マイクロフォン
１３    送受光部
１４    切替ボタン
１５    テンキー
１７    操作キー
２０    操作表示部
２１    液晶画面
２５    時計機能部
２７    人異常判断部
２９    電源部
６１    充電装置
６３    スリープボタン
６５    決定ボタン
６７    シフトキー
６９    緊急スイッチ
７１    番組表
８１、８７、９７    バー
８３    カーソル
８５    タイマーボタン
９１    食後ボタン
９３    食間ボタン
９５    食前ボタン
１００    カレンダー
１０１    放送内容解説
１０３    ブロック
１０５    トピックス
１０７    内容要約
【図１】
2006325261.tif 000003
【図２】
2006325261.tif 000004
【図３】
2006325261.tif 000005
【図４】
2006325261.tif 000006
【図５】
2006325261.tif 000007
【図６】
2006325261.tif 000008
【図７】
2006325261.tif 000009
【図８】
2006325261.tif 000010
【図９】
2006325261.tif 000011
【図１０】
2006325261.tif 000012
【図１１】
2006325261.tif 000013
【図１２】
2006325261.tif 000014
【図１３】
2006325261.tif 000015
【図１４】
2006325261.tif 000016
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
番組の占有時間と、
該番組の視聴時間を算出する視聴時間算出手段と、
該視聴時間算出手段で算出された番組の視聴時間及び前記番組の占有時間から各番組の視聴率を算出する視聴率算出手段とを備えたことを特徴とする情報システム。
【請求項２】
ユーザの視聴した番組情報を取得する番組情報取得手段と、
該番組情報取得手段で取得された番組情報を基に番組の瞬間視聴率を算出する瞬間視聴率算出手段とを備えたことを特徴とする情報システム。
【請求項３】
番組の視聴時間を算出し、該視聴時間と番組の占有時間から各番組の視聴率を算出することを特徴とする視聴率算定方法。